(57)【要約】【課題】高速伝送用フレキシブルフラット高周波ケーブルＰの折り曲げを伴う配索において、伝送ロスを招くことなく、容易にその作業を行い得る。【解決手段】ケーブルＰの折り曲げ部Ｐａ内に介在されて、電子部品等の取付けフレームＦに固定されるケーブル折り曲げ固定具１０である。折り曲げされる際、その折り曲げ部を円弧状に案内する円弧面１３を有する三角部材１１と、その二側縁のガイド片１２ａ、１２ｂと、取付けフレームに固定するための脚１５とからなる。ケーブルＰは、一方のガイド片１２ａに沿って一方向Ｘから案内面１４ｂ、１４ａを介し導かれて円弧面１３において折り曲げられ、他方のガイド片１２ｂに沿って他の方向Ｙ、例えば９０度の方向に案内面１４ａ、１４ｂを介し導かれる。このとき、円弧面１３の曲率Ｒは、ケーブルの構成・特性等、及び一方向から他の方向への曲げ角度を考慮して、実験、実装等に基づいて、例えば２．５ｍｍと適宜に決定する。【選択図】図１
2010010198.tif 000002
【特許請求の範囲】
【請求項１】
高速伝送用フレキシブルフラット高周波ケーブル（Ｐ）が、一方向（Ｘ）から導かれて折り曲げられ、前記一方向（Ｘ）に対して傾斜する他の方向（Ｙ）に導かれる、その高速伝送用フレキシブルフラット高周波ケーブル（Ｐ）の折り曲げ部（Ｐａ）内に介在されて、電子部品（Ｂ）等の取付けフレーム（Ｆ）に固定されるケーブル折り曲げ固定具（１０、２０、３０、４０）であって、
上記高速伝送用フレキシブルフラット高周波ケーブル（Ｐ）が折り曲げられる際、その折り曲げ部（Ｐａ）を円弧状に案内する円弧面（１３）と、上記取付けフレーム（Ｆ）に固定するための固定部材（１５、ｂ）とを有することを特徴とするケーブル折り曲げ固定具。
【請求項２】
上記円弧面（１３）に連続して、上記高速伝送用フレキシブルフラット高周波ケーブル（Ｐ）が導かれる一方向（Ｘ）又は他の方向（Ｙ）の少なくとも一方に延びるフラットな案内面（１４ａ）を有することを特徴とする請求項１に記載のケーブル折り曲げ固定具。
【請求項３】
平面視、三角形の板部材（１１）からなり、その三角部材（１１）の一辺の縁が上記円弧面（１３）となっており、他の二辺に向かって上記案内面（１４ａ）が形成されていることを特徴とする請求項２に記載のケーブル折り曲げ固定具。
【請求項４】
上記三角部材（１１）の他の二辺の少なくとも一方から、さらに高速伝送用フレキシブルフラット高周波ケーブル（Ｐ）が導かれる方向（Ｘ、Ｙ）に向かってガイド片（１２ａ、１２ｂ）を設けたことを特徴とする請求項３に記載のケーブル折り曲げ固定具。
【請求項５】
上記高速伝送用フレキシブルフラット高周波ケーブル（Ｐ）の導かれる方向（Ｘ、Ｙ）に沿って、そのケーブル側縁を案内するガイド用突起（１４）を有することを特徴とする請求項１乃至４の何れか１つに記載のケーブル折り曲げ固定具。
【請求項６】
上記固定部材が棒状部材の脚（１５）であって、その先端から軸方向にスリット（１６）が形成されたものであり、上記取付けフレーム（Ｆ）の孔（ｈ）に前記脚（１５）をそのスリット（１６）を介して縮径することによって嵌め込み、その縮径に対する反力でもって脚（１５）を前記取付けフレーム（Ｆ）に固定することを特徴とする請求項１乃至５の何れか１つに記載のケーブル折り曲げ固定具。
【請求項７】
請求項１乃至６の何れか１つに記載のケーブル折り曲げ固定具（１０、２０、３０、４０）によって、高速伝送用フレキシブルフラット高周波ケーブ（Ｐ）を取付けフレーム（Ｆ）に固定したケーブルの固定構造。
【発明の詳細な説明】
【技術分野】
【０００１】
この発明は、液晶テレビ、プラズマテレビ、複写機等の各種電子機器における各種電子部品や回路基板等との間において、信号等の送受信に使用される高速伝送用フレキシブルフラット高周波ケーブルの折り曲げ固定具に関するものである。
【背景技術】
【０００２】
例えば、昨今の薄型高精度大画面テレビでは、信号等の高速伝送が必要となり、その信号伝達部材であるケーブル自体にその高速伝送に耐え得るものが要求されている。
その高速伝送用ケーブルとして、フレキシブルフラット高周波ケーブル（以下、適宜に、「フラットケーブル」又は「ケーブル」と言う。）があり、このケーブルには、並列した導体を包む誘電体層の周り全域をシールド層で囲んだものがある（特許文献１  図２参照）。例えば、図９に示すように、並列させた導体１を低損失ポリオレフィン等の誘電体層２で包み、その誘電体層２の上下面全域に、９μｍ程度の銅箔３ａを張ったポリエチレンテレフタレート（ＰＥＴ）（厚さ：１２μｍ程）３ｂから成るシールド層３を設けると共に、さらにその周りを、９μｍ程度の銅箔４ａを張った袋帯状ＰＥＴテープ（厚さ：６μｍ程）４ｂから成るグランド機能用外皮４を銅箔４ａを内側にして巻回したものがある。誘電体層２とシールド層３はその内側のＰＥＴ３ｂを介して接着され、シールド層３と外皮４は接着されずに両銅箔３ａ、４ａが接触しながら相互に移動可能である。導体１には平型、円型等が採用される。
【特許文献１】特開２００８−４７５０５号公報
【０００３】
一方、この種のフラットケーブルＰは、各種電子部品や回路基板等との間に設けられる配索の際、省スペース化等の点から、一方向から導かれて折り曲げされ、その一方向に対して傾斜する（曲げ角度θを持って）他の方向に導かれた態様とされる場合が多い（特許文献２  図１１参照）。
【特許文献２】特開２００７−１０４８２８号公報
【発明の開示】
【発明が解決しようとする課題】
【０００４】
そのフラットケーブルＰの折り曲げ時、その折り曲げを無造作に行ったり、嵩を小さくするために、その折り曲げ部分を強く押したりすると、導体１が破損する等の不都合が生じる。このため、フラットケーブルＰの配索には注意が必要である。特に、上記のフレキシブルフラット高周波ケーブルＰは、小型化の要請から、各導体１の間隔も狭くなっており、また、シールド層３、４が誘電体層２の表面全域にあることから、その折り曲げ度合によっては、その折り曲げ部の内側で「皺」、外側で「裂け」が発生し易い。シールド層３、４の皺や裂けは伝送ロスにつながる（伝送特性が悪化する）。
【０００５】
また、フラットケーブルＰの一方向から他の方向への曲げ角度θがバラツクと、電子部品間等における接続時（配索時）、その曲げ角度θが電子部品間の曲がり角度と異なるなどによって、ケーブルＰに不必要な曲げやねじれが生じ、その接続作業（組立作業）の効率劣化につながるとともに、そのねじれ等に基づく伝送特性の劣化を招く。特に、今日、フラットケーブルＰの配索エリヤは狭く限定的となっているため、前記曲げ角度θがその配索個所に最適なもの（適合するもの）となって固定されていることが好ましい。
【０００６】
この発明は、以上の状況に鑑み、高速伝送用フレキシブルフラット高周波ケーブルＰの折り曲げを伴う配索においても、伝送ロスを招くことなく、容易にその作業を行い得るとともに、安定した折り曲げ固定状態を得るようにすることを課題とする。
【課題を解決するための手段】
【０００７】
上記の課題を達成するために、この発明は、まず、フラットケーブルの折り曲げ治具において、円弧状面でもって折り曲げている点に着目し（特許文献３  図７参照）、高速伝送用フレキシブルフラット高周波ケーブル折り曲げ部の内面を円弧面で案内することとしたのである。
その円弧面の曲率（ケーブルの折り曲げ曲率）Ｒは、大きければ大きいほど、上記皺や裂けの恐れは少なくなるが、折り曲げ部分の厚みが多くなって、取付けスペースが広くなる。一方、その曲率Ｒを小さくすれば、その取付けスペースの縮小化を図ることはできるが、皺、裂けの恐れが増す。このため、上記円弧面の曲率Ｒは、ケーブルの構成・特性等、及び一方向から他の方向への曲げ角度θを考慮して、実験、実装等に基づいて適宜に決定する。このとき、その曲げ角度θも接続する電子部品等の配置態様によって適宜に決定する。
【特許文献３】特開２００３−６８１５７号公報
【０００８】
つぎに、この発明は、その円弧面を有する治具を電子部品等の取付けフレーム（筐体）に固定するようにしたのである。
ケーブルの折り曲げ治具を取付けフレームに固定すれば、その折り曲げ部が固定されるため、ケーブルの取付け状態は安定する。
その固定手段としては、その折り曲げ治具をその一部でもって取付けフレームにビス止め、バンド止め、接着等が考えられるが、脚を別途に設けて、この脚を介して取付けることができる。この脚は、取付けフレームにビス止めしたり、接着したり、取付けフレームの孔に嵌入固定したりする。
【０００９】
この発明の具体的な構成としては、高速伝送用フレキシブルフラット高周波ケーブルが、一方向から導かれて折り曲げられ、前記一方向に対して傾斜する他の方向に導かれる、そのフレキシブルフラット高周波ケーブルの折り曲げ部内に介在されて、電子部品等の取付けフレームに固定されるケーブル折り曲げ固定具であって、前記フレキシブルフラット高周波ケーブルが折り曲げられる際、その折り曲げ部を円弧状に案内する円弧面と、上記取付けフレームに固定するための固定部材とを有する構成を採用することができる。
【００１０】
この構成において、上記円弧面に連続して、上記フレキシブルフラット高周波ケーブルが導かれる一方向又は他の方向の少なくとも一方に延びるフラットな案内面を有するものとし得る。
このようにすれば、案内面によって、ケーブルの折り曲げ部に至る少なくとも一方の経路がガイドされるため、折り曲げ部の安定性が向上する。
【００１１】
この発明のより具体的な構成としては、平面視、三角形の板部材からなり、その三角部材の一辺の縁が上記円弧面となっており、他の二辺に向かって上記案内面が形成されている構成とし得る。
この構成において、上記三角部材の他の二辺の少なくとも一方から、さらにフレキシブルフラット高周波ケーブルが導かれる方向に向かってガイド片を設ければ、上述のように、そのガイド片の案内面によって、ケーブルの折り曲げ部に至る少なくとも一方の経路がガイドされるため、折り曲げ部の安定性が向上する。
このとき、フレキシブルフラット高周波ケーブルの導かれる方向に沿って、そのケーブル側縁を案内するガイド用突起を有するものとすれば、ケーブルの導かれ方向の規制が行われ、ケーブルの上記曲げ方向（角度θ）が安定し、その安定に伴って折り曲げ部の安定性も向上する。
【００１２】
上記固定部材としては、例えば、棒状部材からなる脚を採用でき、その脚は、先端から軸方向にスリットが形成されたものであり、上記取付けフレームの孔に前記脚をそのスリットを介して縮径することによって嵌め込み、その縮径に対する反力でもって脚を前記取付けフレームに固定するものとすることができる。
【００１３】
以上の各構成のケーブル折り曲げ固定具は、高速伝送用フレキシブルフラット高周波ケーブルを電子部品等の取付けフレームに安定して固定した構造を得ることができる。
【発明の効果】
【００１４】
この発明は、以上のようにしたので、高速伝送用フレキシブルフラット高周波ケーブルを、その伝送特性の劣化を招くことなく折り曲げ、所要の曲げ角度で安定してフレームに取付け得るとともに、その安定した曲げ固定状態を得ることができる。この折り曲げ部の固定状態が安定すれば、フレキシブルケーブルが動くことはなく、配線の振れもなくなるため、安定した高速伝送を確保できると共に、その配線振れによる筐体内での異音の発生も防ぐことができる。
【発明を実施するための最良の形態】
【００１５】
図１〜図３に、この発明の一実施形態を示し、この実施形態に係る折り曲げ固定具１０は、図１に示すように、パンチングメタルからなるフレームＦに取付けられた電子部品Ｂ、Ｂ等の間を高速伝送用フレキシブルフラット高周波ケーブルＰで接続する際、そのケーブルＰを、途中において直角（９０度＝曲げ角度θ）に曲げた折り曲げ部Ｐａ内に介在して、その折り曲げ部Ｐａを筐体の一つであるフレームＦに取付け固定するものである。
【００１６】
この折り曲げ固定具１０は、図２、図３に示すように、平面視、三角形の樹脂成型品の板部材（図３（ｂ）において、符号１３が指す辺と鎖線で示す辺からなる部分）１１とその部材１１の二辺（前記鎖線辺）から、さらにケーブルＰが導かれる方向Ｘ、Ｙに向かって同じく樹脂成型品のガイド片１２ａ、１２ｂを設けたものである。
その三角部材１１の斜辺の側縁は円弧面１３となっており、この円弧面１３がケーブルＰが折り曲げされる際、その折り曲げ部内面を円弧状に案内する（図２鎖線参照）。この円弧面１３の両端縁からケーブルＰの案内面１４ａ（三角部材１１表面）が連続し、この案内面１４ａは両ガイド片１２ａ、１２ｂの案内面１４ｂに連続している。このため、ケーブルＰは、一方のガイド片１２ａに沿って一方向Ｘから導かれて円弧面１３において折り曲げられ、他方のガイド片１２ｂに沿って他の方向Ｙに導かれる（図２鎖線参照）。この実施形態では、円弧面１３の曲率Ｒは２．５ｍｍとした。
【００１７】
また、ガイド片１２ａ、１２ｂはその案内面１４ｂ側縁にその縁に沿う突起（突条）からなるガイド１４が設けられており、このガイド１４によって、ケーブルＰの導き入れ（引き出し）方向Ｘ、Ｙが位置決め（ガイド）される。ガイド１４は三角部材１１の案内面１４ａにも設けることができる。
【００１８】
三角部材１１の頂点部分下面には棒状の脚１５が一体成型により設けられ、その先端から軸方向にスリット１６が形成されている。このため、この脚１５を、フレームＦの孔ｈにスリット１６を介して縮径することによって嵌め込むと、その縮径に対する反力でもって脚１５はフレームＦに固定される。脚１５は、ケーブルＰの曲げ作用に支障がない個所であれば、三角部材１１とガイド片１２ａ、１２ｂの何れの個所でも良く、例えば、ガイド片１２ｂの裏面でも良い。図中、１７は、折り曲げ固定具１０を軽くするための空洞（孔）である。
【００１９】
この折り曲げ固定具１０でもって、図９に示した高速伝送用フレキシブルフラット高周波ケーブルＰを曲げ角度θ：９０度でもって配索するには、まず、図２鎖線に示すように、ケーブルＰを一方のガイド片１２ａの一方向Ｘからその案内面１４ｂ及び三角部材１１の案内面１４ａを介して導き、円弧面１３において折り曲げた後、他方のガイド片１２ｂの他の方向Ｙに三角部材１１の案内面１４ａ及びその案内面１４ｂを介して導く。この状態において、適宜なバンドｂによってケーブルＰと治具１０を一体とする（図１鎖線、図６鎖線参照）。
【００２０】
この後、脚１５をフレームＦの孔ｈに嵌め込んで、折り曲げ固定具１０及びケーブルＰを所要位置に取付け（配索し）、そのケーブルＰを電子部品Ｂ等に接続する。この後、ケーブルＰ、治具１０をバンドｂ等によってフレームＦに適宜に固定する（図１実線参照）。
なお、治具１０をフレームＦに仮止めした後、ケーブルＰを折り曲げ固定具１０でもって所要曲げ角度θに配索しても良い。また、ケーブルＰの折り曲げ固定具１０の固定とその折り曲げ固定具１０のフレームＦへの固定を同じバンドｂ等の固定部材で行うこともできる。さらに、ケーブルＰを折り曲げずにストレート（直線）状態で、折り曲げ固定具１０の一部に両面テープ等によって留めおき、フレームＦに折り曲げ固定具１０を固定後、ガイド片１２ａ，１２ｂなどを案内（起点）としてケーブルＰを折り曲げ固定することもできる。
【００２１】
図４、図５には他の実施形態を示し、この実施形態の折り曲げ固定具２０は、ケーブルＰの曲げ角度θを１３５度としたものであり、図中の上記と同一符号は同一物を示し、その作用も、曲げ角度θを除いてほぼ同一である。
このように、各種の曲げ角度θに応じて、三角部材１１の三角形状を変更し、その変更に合わせてガイド片１２ａ、１２ｂを設ければ、この発明の種々の実施形態を得ることができる。
【００２２】
上記各実施形態は、ガイド片１２ａ、１２ｂを有するものであったが、両ガイド片がないもの（図６（ａ））、一方のガイド片のみを有する（同図（ｂ）、（ｃ））ものでも、この発明を実施することができる。これらの場合、各図に示すように、適宜なバンドｂでもって、ケーブルＰと折り曲げ固定具３０を一体とするとともに、フレームＦに固定する。
また、脚１５を設ける場合は、図７に示すように、ケーブルＰの配索に支障がない部位にその脚１５を設ける（同図（ｂ）参照）。その部位がない場合は、その配策に支障がない側縁に横方向の突片３１を設けてその突片３１に設ける（同図（ａ）参照）。各案内面１４ａ、１４ｂには、例えば、図７（ｃ）に示すように、環状のガイド１８を設けて、その中にケーブルＰを通すようにして、ケーブルＰの位置決めを安定化させることもできる。
【００２３】
さらに、図８に示すように、この折り曲げ固定具４０は、三角部材１１ではなく、円弧面１３を棒状部材４１で構成することもできる。この場合、脚１５は、図示のごとくその一端に設けたり、両端に設けたりすることができる。脚１５を両端に設ければ、折り曲げ固定具４０はフレームＦに対し位置決めされるが、その位置決め位置は孔ｈの位置で決定されるため、曲げ角度θの変更には対応しにくい。一方、脚１５が一つの場合は、脚１５を支点として棒状部材４１を回し得るため、曲げ角度θの変更に対応しやすい。この場合、棒状部材４１の固定はバンドｂ等によって行う。同図（ｂ）に示すように、ガイド兼用のカバー４２を設けることもできる。
【００２４】
また、この発明に採用し得る高速伝送用フレキシブルフラット高周波ケーブルＰは、図９に示すものに限らず、折り曲げによって伝送特性が劣化する全ての高速伝送用フレキシブルフラット高周波ケーブルに適応できることは勿論である。さらに、取付けフレームＦも、パンチングメタルに限らず各種の電子機器内に設置されるフレームも含むことは勿論である。
【００２５】
このように、今回開示された実施の形態はすべての点で例示であって制限的なものではないと考えられるべきであり、この発明の範囲は、上記した意味ではなく、特許請求の範囲によって示され、特許請求の範囲と均等の意味および範囲内でのすべての変更が含まれることが意図される。
【図面の簡単な説明】
【００２６】
【図１】この発明の一実施形態の取付け態様を示す概略平面図
【図２】同実施形態の折り曲げ固定具の斜視図
【図３】同折り曲げ固定具を示し、（ａ）は正面図、（ｂ）は平面図、（ｃ）は左側面図、（ｄ）は右側面図、（ｅ）は下面図、（ｆ）は（ｂ）の右切断側面図
【図４】他の実施形態の折り曲げ固定具の斜視図
【図５】同折り曲げ固定具を示し、（ａ）は正面図、（ｂ）は平面図、（ｃ）は左側面図、（ｄ）は右側面図、（ｅ）は下面図、（ｆ）は（ｂ）の右切断側面図
【図６】他の実施形態の折り曲げ固定具の各例の斜視図
【図７】他の実施形態の折り曲げ固定具の各例の斜視図
【図８】他の実施形態の折り曲げ固定具の各例の斜視図
【図９】高速伝送用フレキシブルフラット高周波ケーブルの一例の切断図
【符号の説明】
【００２７】
１０、２０、３０、４０  折り曲げ固定具
１１  三角部材
１２ａ、１２ｂ  ガイド片
１３  円弧面
１４  ガイド用突起
１４ａ  三角部材の案内面
１４ｂ  ガイド片の案内面
１５  脚
４１  折り曲げ固定具用棒状部材
ｂ  固定バンド
ｈ  取付けフレームの孔
θ  ケーブルの曲げ角度
Ｆ  取付けフレーム
Ｒ  ケーブルの屈曲率（円弧面１３の曲率）
Ｐ  高速伝送用フレキシブルフラット高周波ケーブル
Ｐａ  高速伝送用フレキシブルフラット高周波ケーブルの折り曲げ部
【図１】
2010010198.tif 000003
【図２】
2010010198.tif 000004
【図３】
2010010198.tif 000005
【図４】
2010010198.tif 000006
【図５】
2010010198.tif 000007
【図６】
2010010198.tif 000008
【図７】
2010010198.tif 000009
【図８】
2010010198.tif 000010
【図９】
2010010198.tif 000011